(57)【特許請求の範囲】
【請求項１】
ＰＬＬシンセサイザを有するコンバータ機器と、該コンバータ機器に電力を供給する電源機器とが別体として形成され、一本の伝送線で双方が接続された周波数変換システムのＰＬＬシンセサイザ監視方法であって、
ＰＬＬシンセサイザが同期外れになった際に前記コンバータ機器の消費電力を減らし、前記電源機器内に電力監視手段を設け、該電力監視手段が消費電力の減少から電力供給量の減少を検知し、同期外れを判断することを特徴とするＰＬＬシンセサイザ監視方法。
【請求項２】
受信信号を所定の中間周波信号に変換するコンバータ部と、該コンバータ部に電力を供給する電源部とが別体として形成され、一本の伝送線で双方が接続されたＬＮＢ装置において、
前記コンバータ部に、局部発振信号を生成出力すると共に局部発振信号の同期外れに対応した信号を生成出力するＰＬＬシンセサイザ部と、局部発振信号の同期が外れた際に前記コンバータ部の少なくとも一部の回路への電力供給を止めて、消費電力を減少させる電力停止回路を設け、
前記電源部に、前記電力停止回路の動作により前記コンバータ部への供給電力の減少を検出することにより局部発振信号の同期外れを検出する電力監視部を設けたことを特徴とするＬＮＢ装置。
【請求項３】
局部発振信号の同期が外れた際に、電力供給の止まる回路部が、コンバータ部に内蔵されている信号増幅部と中間周波増幅部であることを特徴とする請求項２記載のＬＮＢ装置。
【請求項４】
電力監視部に、局部発振信号の同期外れを表示する状態モニタ部を設けたことを特徴とする請求項２又は３記載のＬＮＢ装置。
【発明の詳細な説明】
【０００１】
【発明の属する技術分野】
本発明は、ＰＬＬシンセサイザ監視方法、例えばアンテナで受信した衛星信号等をＰＬＬシンセサイザを用いて中間周波信号に変換し受信端に伝送する際のＰＬＬシンセサイザ監視方法及びその方法によりＰＬＬシンセサイザを監視するＬＮＢ装置に関する。
【０００２】
【従来の技術】
従来のＬＮＢ装置の構成を表したブロック図を図３に示す。図３において、コンバータ部１００の入力端子１００ａは、アンテナから受信した衛星信号の入力端子であり、信号増幅部１０１に接続されている。増幅された衛星信号を出力する信号増幅部１０１の出力端と局部発振信号を出力するＰＬＬシンセサイザ部１０７の出力端は、ミキサ部１０２に接続され、ミキサ部１０２の出力端は、中間周波信号成分を抽出する帯域通過フィルタ部１０３、中間周波信号に変換してそれを増幅する中間周波増幅部１０４及び中間周波信号のみを通過させる高域通過フィルタ部１０５を介して、コンバータ部１００の出力端子１００ｂに接続されている。又、出力端子１００ｂには直列接続された３つの低域通過フィルタＬ４０１，Ｌ４０２，Ｌ４０３の内のＬ４０１が接続され、Ｌ４０３の最終端が電源回路部１０８と接続されている。低域通過フィルタＬ４０２とＬ４０３は、ＰＬＬシンセサイザ部１０７から出力されるロック検出信号を増幅するロック信号増幅部１１０の出力端と接続され、低域通過フィルタＬ４０１とＬ４０２は、電源部２００の基準信号発生部２０２で生成された基準信号のみを通過させる帯域通過フィルタ部１０６を介して、ＰＬＬシンセサイザ部１０７に接続され、又、電源回路部１０８は信号増幅部１０１，中間周波増幅部１０４，ＰＬＬシンセサイザ部１０７，並びに、ＰＬＬシンセサイザ部１０７を介してロック信号増幅部１１０に接続されている。
【０００３】
コンバータ部１００の出力端子１００ｂは一本の伝送線３００で電源部２００の入力端子２００ａと接続されている。そして、この入力端子２００ａからコンバータ部１００で変換された中間周波信号を入力し、基準信号を除去する高域通過フィルタ部２０１を介して、電源部２００の出力端子２００ｂと接続され、この出力端子２００ｂから中間周波信号のみが次段回路部へ伝送されている。さらに、入力端子２００ａは直列に接続された低域通過フィルタＬ５０１，Ｌ５０２，Ｌ５０３の最前端素子である低域通過フィルタＬ５０１にも接続されている。そして、Ｌ５０３の最終端が電力供給部２０３と接続されている。低域通過フィルタＬ５０１とＬ５０２は、コンバータ部１００へ伝送されＰＬＬシンセサイザ部１０７に入力される基準信号を生成する基準信号発生部２０２と接続され、又低域通過フィルタＬ５０２とＬ５０３は、コンバータ部１００のＰＬＬシンセサイザ部１０７から出力され電源部２００へ伝送されるロック検出信号のみを取り出す帯域通過フィルタ部２０８を介して、ロック信号検出部２０９に接続されている。又、電力供給部２０３は基準信号発生部２０２，ロック信号検出部２０９に接続されている。
【０００４】
次に、従来のＬＮＢ装置の動作を説明する。アンテナから入力された周波数が例えば１２．２５〜１２．７５ＧＨｚの衛星信号とすると、この衛星信号は信号増幅部１０１で増幅後、ミキサ部１０２に入力され、ミキサ部１０２には、もう一つＰＬＬシンセサイザ部１０７で生成された局部発振信号が入力されている。ここで、局部発振信号は、ＰＬＬ周波数シンセサイザ回路、つまり、基準周波数ｆｒと比較周波数ｆｐの位相差に応じたパルス幅を持つパルスを出力する位相比較器、位相比較器からの出力信号をＤＣレベル化する低域通過フィルタ及び電圧によって出力周波数を変化させることができる電圧制御形発振器とで構成される回路並びに逓倍器により生成されている。本ＬＮＢ装置では、位相比較器の基準周波数ｆｒ信号として入力される信号は、電源部２００に設けられた基準信号発生部２０２で生成された周波数ｆｒが１０ＭＨｚの基準信号を伝送線３００によりコンバータ部１００に送り、帯域通過フィルタ部１０６により取り出して使用し、また、他方の比較周波数ｆｐ信号には電圧制御形発振器出力信号の帰還信号を使用する。
【０００５】
よって、このＰＬＬシンセサイザ部１０７内のＰＬＬ周波数シンセサイザ回路により周波数２．２６ＧＨｚの電圧制御形発振器信号が出力され、後段の逓倍器により５倍に逓倍されて１１．３ＧＨｚの周波数を持つ局部発振信号がＰＬＬシンセサイザ部１０７で生成出力されている。そして、ミキサ部１０２で周波数１１．３ＧＨｚの局部発振信号と混合された周波数１２．２５〜１２．７５ＧＨｚの衛星信号は、帯域通過フィルタ部１０３で中間周波信号成分が抽出され、中間周波増幅部１０４で周波数９５０〜１４５０ＭＨｚの中間周波信号に変換されると共に増幅され、高域通過フィルタ部１０５で基準信号の通過を阻止して中間周波信号のみを通過させ、伝送線３００により電源部２００へ伝送されている。
【０００６】
又、ＰＬＬシンセサイザ部１０７からは、前述した局部発振信号の出力とは別に、ＰＬＬ周波数シンセサイザ回路から目的の周波数を出力するように電圧制御形発振器が同期制御されているかどうかを示すロック検出信号も出力されている。ここで電圧制御形発振器が同期制御されている状態をロック状態、同期制御されていない状態、すなわち同期外れをアンロック状態とする。尚、ロック検出信号としてパルス信号或いはトーン信号を出力させるように回路構成されている。そして、ＰＬＬシンセサイザ部１０７で生成されたロック検出信号は、ロック信号増幅部１１０で増幅され、伝送線３００により電源部２００へ伝送されている。低域通過フィルタＬ５０１とＬ５０２とで高域信号成分が除去された後、帯域通過フィルタ部２０８で取り出されたロック検出信号はロック信号検出部２０９で加工されロック状態かアンロック状態かが判別されている。
【０００７】
【発明が解決しようとする課題】
上記のように、従来のＬＮＢ装置は、ＰＬＬシンセサイザ部１０７の局部発振信号の同期外れを電源部２００で監視する場合、コンバータ部１００内には、ＰＬＬシンセサイザ部１０７からのロック検出信号を伝送線３００で電源部２００に伝送するため、ロック信号増幅部１１０を設けて増幅する必要があり、又、電源部２００内には、伝送後のロック検出信号を伝送線３００から取り出すため帯域通過フィルタ部２０８を設け、さらにロック、アンロック状態を判別可能とするためにロック信号検出部２０９を設けてロック検出信号を加工する必要があった。したがって、これらの回路スペースを確保するためコンバータ部１００及び、電源部２００の大型化は避けられず、設置場所が制限され、これらの機器を固定する為の部材も大型化してしまう。そして、部品点数が多ければそれに比例して製造工数も当然に多くなり、又手間もかかるため、製造コストアップの原因になっていた。
【０００８】
又、ロック、アンロック状態に関わらず、常にコンバータ部１００内の各構成部には電力供給がされており、正常に受信動作がなされていない場合にも、動作に不要な電力が無駄に消費されていた。さらに、受信障害の原因がＬＮＢ装置のコンバータ部１００にあると予想できても、通常屋外高所のアンテナ給電部に設置されるコンバータ部１００の実際の点検確認作業は、高所での作業となり煩雑であった。
【０００９】
こうした問題に鑑み、本発明は簡易な回路で、コンバータ機器から離れた電源機器側でコンバータ機器の消費電力の減少から供給電力の減少を検知すると共に同期外れを容易に判断可能なＰＬＬシンセサイザ監視方法及びその方法を用いたＬＮＢ装置を提供することを課題とする。
【００１０】
【課題を解決するための手段】
上記課題を解決するため、請求項１の発明は、ＰＬＬシンセサイザを有するコンバータ機器と、該コンバータ機器に電力を供給する電源機器とが別体として形成され、一本の伝送線で双方が接続された周波数変換システムのＰＬＬシンセサイザ監視方法であって、ＰＬＬシンセサイザが同期外れになった際にコンバータ機器の電力消費量を減らし、前記電源機器内に電力監視手段を設け、該電力監視手段が、消費電力の減少から供給電力の減少を検知し同期外れを判断することを特徴とする。
【００１１】
請求項２の発明は、受信信号を所定の中間周波信号に変換するコンバータ部と、該コンバータ部に電力を供給する電源部とが別体として形成され、一本の伝送線で双方が接続されたＬＮＢ装置において、前記コンバータ部に、局部発振信号を生成出力すると共に局部発振信号の同期外れに対応した信号を生成出力するＰＬＬシンセサイザ部と、局部発振信号の同期が外れた際に前記コンバータ部の少なくとも一部の回路への電力供給を止めて、消費電力を減少させる電力停止回路を設け、前記電源部に、前記電力停止回路の動作により前記コンバータ部への電力供給量の減少を検出することにより局部発振信号の同期外れを検出する電力監視部を設けて構成される。
【００１２】
請求項３の発明は、請求項２の発明において、局部発振信号の同期が外れた際に、電力供給の止まる回路部が、コンバータ部に内蔵されている信号増幅部と中間周波増幅部であるように構成される。
【００１３】
請求項４の発明は、請求項２又は３の発明において、電力監視部に、局部発振信号の同期外れを表示する状態モニタ部を設けて構成される。
【００１４】
【発明の実施の形態】
以下に、本発明に係るＰＬＬシンセサイザ監視方法の一例を図面に基づいて説明する。図１は、ＰＬＬシンセサイザを有するコンバータ機器１ａと、それに電力を供給する電源機器１ｃとが別体として一本の伝送線１ｂで接続されて構成され、ＰＬＬシンセサイザの同期外れを電源機器１ｃの電力供給量の減少で判断するＰＬＬシンセサイザ監視方法を使用した周波数変換システム１を衛星信号受信装置２に用いた場合のシステムブロック図である。
【００１５】
この衛星信号受信装置２は、ＰＬＬシンセサイザを有したコンバータ機器１ａが、屋外高所に設置された例えばパラボラアンテナ２ｅの給電アーム２ｂ先端に固定される給電部２ａと一体に形成され、同軸ケーブル等の伝送線１ｂを介して、各戸３屋内の受信装置２ｃからＴＶ、パソコン等の情報表示端末２ｄに接続される。パラボラアンテナ２ｅからの受信信号は、コンバータ機器１ａで所定の周波数に変換され、情報表示端末２ｄが表示可能に受信装置２ｃによって信号加工処理される。そして、ＰＬＬシンセサイザの同期外れに影響する類いの受信障害に起因して、情報表示端末２ｄに異常が発生した場合には、電源機器１ｃ内の電力監視手段１ｄによりコンバータ機器１ａへの電力供給量の減少を検知することでコンバータ機器１ａの同期外れが判断される。
【００１６】
このように、ＰＬＬシンセサイザ監視方法を、例えば衛星信号受信装置２に用いれば、コンバータ機器１ａと別体に設けた電源機器１ｃで、コンバータ機器１ａの同期外れを判断できるから、同期外れの確認が容易になる。したがって情報表示端末２ｄの表示異常の原因が、コンバータ機器１ａの同期外れによるものか否かの特定を、電源機器１ｃで集中管理できる。又、電力監視手段１ｄは、コンバータ機器１ａへの電力供給量の減少を検知するだけの簡易な回路でコンバータ機器１ａの同期外れを判断できるから、コンバータ機器１ａ及び電源機器１ｃの回路構成を簡略化することが可能である。
【００１７】
次に、本発明に係るＬＮＢ装置の一例として、そのブロック図を図２に示し、本ブロック図を基に構成及び動作を説明する。図２において、コンバータ部１０の入力端子１０ａは、アンテナから入来した信号の入力端子であり、信号増幅部１１に接続される。増幅された信号を出力する信号増幅部１１の出力端と、局部発振信号を出力するＰＬＬシンセサイザ部１７の出力端は、ミキサ部１２に接続され、ミキサ部１２の出力端は、中間周波信号成分を抽出する帯域通過フィルタ部１３、中間周波信号に変換してそれを増幅する中間周波増幅部１４及び中間周波信号のみを通過させる高域通過フィルタ部１５を介して、コンバータ部１０の出力端子１０ｂに接続されている。又、出力端子１０ｂには直列接続された低域通過フィルタＬ４１，Ｌ４３のＬ４１が接続され、Ｌ４３の最終端が電源回路部１８と接続されている。低域通過フィルタＬ４１とＬ４３は、電源部２０の基準信号発生部２２で生成された基準信号のみを通過させる帯域通過フィルタ部１６を介して、ＰＬＬシンセサイザ部１７に接続される。又、電源回路部１８は、ＰＬＬシンセサイザ部１７に直接接続され、一方、信号増幅部１１，中間周波増幅部１４へは動作電力の供給及び停止のいずれかに切替制御する電力停止回路１９を介して接続され、電力を供給している。
【００１８】
コンバータ部１０の出力端子１０ｂは一本の伝送線３０で電源部２０の入力端子２０ａと接続される。そして、電源部２０の入力端子２０ａは、コンバータ部１０で変換された中間周波信号を入力し、基準信号を除去する高域通過フィルタ部２１を介して次段回路部へ接続される電源部２０の出力端子２０ｂと接続され、又、直列に接続された低域通過フィルタＬ５１，Ｌ５３の最前端素子である低域通過フィルタＬ５１と接続される。低域通過フィルタＬ５１とＬ５３は、コンバータ部１０へ伝送されＰＬＬシンセサイザ部１７に入力される基準信号を生成する基準信号発生部２２と接続される。又、Ｌ５３は電力供給部２３及び電力供給部２３の出力電力の増減を監視する電力監視部２５に接続され、電力監視部２５の出力端はその監視結果を表示する状態モニタ部２６に接続される。尚、本発明は上記実施形態に限定されるものではなく、本発明の趣旨を逸脱しない範囲で構成を適宜に変更して実施することも可能である。
【００１９】
次に、本発明に係るＬＮＢ装置の動作について説明する。図２に示すように本発明に係るＬＮＢ装置では信号増幅部１１，中間周波増幅部１４への電力供給を電力停止回路１９の切替制御により行っており、その制御はＰＬＬシンセサイザ部１７から入力されるロック検出信号の状態変化に応じた動作電力の供給又は停止の切替えについて行われる。つまり、ＰＬＬシンセサイザ部１７から出力される局部発振信号が目的の周波数を維持する同期状態の場合、電力停止回路１９は信号増幅部１１、中間周波増幅部１４に動作電力を供給し、目的の周波数から外れた同期外れの状態の場合、ＰＬＬシンセサイザ部１７から同期外れの信号が電力停止回路１９に出力され、動作電力の供給を停止するように切替える。又、同期外れの発生要因が解消された場合、同期状態或いは同期外れの状態にかかわらず常時電力供給されているＰＬＬシンセサイザ部１７は局部発振信号の出力を再開し、それと同時に電力停止回路１９へロック検出信号を出力して同期状態への復帰を伝え、信号増幅部１１と中間周波増幅部１４への電力供給を復活させる。
【００２０】
そして、同期状態と同期外れの状態とでは、コンバータ部１０の電源回路部１８へ電力を供給する電源部２０の電力供給部２３の出力電力は異なり、同期外れの状態では信号増幅部１１及び中間周波増幅部１４の電力供給を停止する分、電力供給部２３の出力電力は減少する。この同期或いは同期外れの状態に対応した出力電力の増減を電力監視部２５で監視して状態モニタ部２６で表示する。例えば状態モニタ部２６では、同期状態の場合には緑のＬＥＤが、同期外れの状態の場合には赤のＬＥＤが点灯する。
【００２１】
このように構成すれば、ＰＬＬシンセサイザ部１７で生成したロック検出信号をコンバータ部１０から電源部２０に伝送することなく、コンバータ部１０での同期外れを電源部２０で監視し判断することができるから、コンバータ部１０内のロック検出信号の伝送に必要な回路が不要となり、さらに、電源部２０内には、ロック検出信号を取り出して加工する回路を設ける必要がなくなり、よって、コンバータ部１０及び電源部２０を小型化できる。
【００２２】
又、ＰＬＬシンセサイザ部１７の出力信号が目的の周波数から外れた同期外れの状態の場合、ＰＬＬシンセサイザ部１７から同期外れの信号が電力停止回路１９に出力され、信号増幅部１１及び中間周波増幅部１４への動作電力の供給を停止するように切替えることができるから、同期外れ時の電力消費を抑えることができる。尚、電力供給が停止される回路は、信号増幅部１１だけでも良いし、中間周波増幅部１４だけであっても良い。一方、ＰＬＬシンセサイザ部１７には電力が常時継続して供給されているので、同期或いは同期外れ状態にかかわらず、その状態に対応したロック検出信号を電力停止回路１９に出力することができるから、同期外れの発生要因が解消された場合には、電力停止回路１９の制御により信号増幅部１１及び中間周波増幅部１４への電力供給を再開することができ、コンバータ部１０の周波数変換機能を自動復旧することが可能となる。
【００２３】
さらに、同期或いは同期外れ状態に対応した出力電力の増減を電力監視部２５で監視することにより、ＰＬＬシンセサイザ部１７の同期外れ状態を、電源部２０の状態モニタ部２６で一見して把握することができる。
【００２４】
【発明の効果】
以上詳述したように、請求項１の発明によれば、コンバータ機器と別体に設けた電源機器でコンバータ機器の同期外れを判断できるから、電源機器を利用者の見やすい場所に設置すれば同期外れの確認が容易になる。又、コンバータ機器及び電源機器を簡易な回路構成とすることが可能である。
【００２５】
請求項２の発明によれば、回路構成を減らすことができるから、コンバータ部及び電源部を簡易な回路構成で小型化することができ、加えて、製造コストを低減することができる。さらに、局部発振信号の同期が外れた際には、コンバータ部の少なくとも一部の回路への電力供給を止めるから、電力消費を抑えることができる。
【００２６】
請求項３の発明によれば、請求項２の効果に加えて、同期外れ状態では信号増幅部及び中間周波増幅部への電力供給を停止するから、同期外れ時の電力消費を大きく抑えることができる。一方、ＰＬＬシンセサイザ部には電力が常時継続して供給されているから、同期外れの発生要因が解消された場合には、コンバータ部の周波数変換機能を自動復旧することが可能となる。
【００２７】
請求項４の発明によれば、請求項２又は３の効果と併せて、ＰＬＬシンセサイザ部の同期外れ状態が、状態モニタ部の状態表示で一見して把握することができるから、電源部を利用者の見やすい場所に設置すれば受信障害が起こった場合の原因機器特定やコンバータ部の同期外れの確認が容易になる。
【図面の簡単な説明】
【図１】本発明に係るＰＬＬシンセサイザ監視方法の一例を示す周波数変換システムのブロック図である。
【図２】本発明に係るＬＮＢ装置の一例を示す回路のブロック図である。
【図３】従来のＬＮＢ装置のブロック図である。
【符号の説明】
１・・周波数変換システム、１ａ・・コンバータ機器、１ｂ，３０・・伝送線、１ｃ・・電源機器、１ｄ・・電力監視手段、１０・・コンバータ部、１１・・信号増幅部、１４・・中間周波増幅部、１７・・ＰＬＬシンセサイザ部、１９・・電力停止回路、２０・・電源部、２５・・電力監視部、２６・・状態モニタ部。
【図１】
0004614248.tif 000002
【図２】
0004614248.tif 000003
【図３】
0004614248.tif 000004